【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
ワイヤレス充電電力および有線充電電力を受信するように構成された装置であって、
バッテリーと、
前記ワイヤレス充電電力を受信して、ワイヤレス充電経路に沿って前記バッテリーを充電するように構成されたワイヤレス接続と、
前記有線充電電力を受信して、有線充電経路に沿って前記バッテリーを充電するように構成された有線接続と
を含み、
前記有線充電経路および前記ワイヤレス充電経路が、整流器を備えた結合充電経路内でオーバラップする、装置。
【請求項２】
前記ワイヤレス充電経路が、
前記ワイヤレス充電電力を受信するように構成されたコイルと、
前記コイルを同調させるように構成された直列同調回路と
を含み、
前記有線充電経路が、
前記有線充電電力を受信して、第1の整流出力を提供するように構成された第1の整流器と、
電磁干渉(EMI)フィルタおよび整流器から前記第1の整流出力を受信するように構成され、力率改善出力を提供するようにさらに構成された力率改善(PFC)モジュールと、
前記力率改善出力を受信して、絶縁DC出力を提供するように構成された絶縁DC-DC変換器と
を含み、
前記結合充電経路が、
前記コイルから前記ワイヤレス充電電力を受信して、前記絶縁DC出力を受信して、第2の整流出力を前記バッテリーに提供するように構成された減結合整流器
をさらに含む
請求項1に記載の装置。
【請求項３】
前記ワイヤレス充電経路が、
前記ワイヤレス充電電力を受信するように構成されたコイルと、
前記コイルを同調させるように構成された並列同調回路と、
前記コイルから前記ワイヤレス充電電力を受信して、第2の整流出力を提供するように構成された減結合整流器と、
前記第2の整流出力をフィルタリングして、フィルタリングされた出力を提供するように構成された出力フィルタと
を含み、
前記有線充電経路が、
前記有線充電電力を受信して、第1の整流出力を提供するように構成された第1の整流器と、
電磁干渉(EMI)フィルタおよび整流器から前記第1の整流出力を受信するように構成され、力率改善出力を提供するようにさらに構成された力率改善(PFC)モジュールと
を含み、
前記結合充電経路が、
前記力率改善出力を受信して、前記フィルタリングされた出力を受信して、絶縁DC出力を前記バッテリーに提供するように構成された絶縁DC-DC変換器
をさらに含む
請求項1に記載の装置。
【請求項４】
前記ワイヤレス充電経路が、
前記ワイヤレス充電電力を受信するように構成されたコイルと、
前記コイルを同調させるように構成された直列同調回路と、
前記コイルから前記ワイヤレス充電電力を受信して、第2の整流出力を提供するように構成された減結合整流器と
を含み、
前記有線充電経路が、
前記有線充電電力を受信して、第1の整流出力を提供するように構成された第1の整流器と、
電磁干渉(EMI)フィルタおよび整流器から前記第1の整流出力を受信するように構成され、力率改善出力を提供するようにさらに構成された力率改善(PFC)モジュールと
を含み、
前記結合充電経路が、
前記力率改善出力を受信して、前記第2の整流出力を受信して、絶縁DC出力を前記バッテリーに提供するように構成された絶縁DC-DC変換器
をさらに含む
請求項1に記載の装置。
【請求項５】
前記ワイヤレス充電経路が、
前記ワイヤレス充電電力を受信するように構成されたコイルと、
前記コイルを同調させるように構成された並列および部分直列同調回路と
を含み、
前記結合充電経路が、
前記有線接続を通して前記有線充電電力を受信して、前記コイルから前記ワイヤレス充電電力を受信して、第1の整流出力を提供するように構成された第1の整流器と、
電磁干渉(EMI)フィルタおよび整流器から前記第1の整流出力を受信するように構成され、力率改善出力を提供するようにさらに構成された力率改善(PFC)モジュールと、
前記力率改善出力を受信して、第2の整流出力を受信して、絶縁DC出力を前記バッテリーに提供するように構成された絶縁DC-DC変換器と
をさらに含む
請求項1に記載の装置。
【請求項６】
前記ワイヤレス充電経路が、
前記ワイヤレス充電電力を受信するように構成されたコイルと、
前記コイルから前記ワイヤレス充電電力を受信して、第2の整流出力を提供するように構成された減結合整流器と、
前記第2の整流出力を整形して、波形整形出力を提供するように構成された波形整形コントローラと
をさらに含み、
前記有線充電経路が、
前記有線充電電力を受信して、第1の整流出力を提供するように構成された第1の整流器と、
電磁干渉(EMI)フィルタおよび整流器から前記第1の整流出力を受信するように構成され、力率改善出力を提供するようにさらに構成された力率改善(PFC)モジュールと
を含み、
前記結合充電経路が、
前記力率改善出力を受信して、前記波形整形出力を受信して、絶縁DC出力を前記バッテリーに提供するように構成された絶縁DC-DC変換器
をさらに含む
請求項1に記載の装置。
【請求項７】
前記ワイヤレス充電経路が、
前記ワイヤレス充電電力を受信するように構成されたコイルと、
前記コイルを同調させるように構成された並列同調回路と、
前記コイルから前記ワイヤレス充電電力を受信して、第2の整流出力を提供するように構成された減結合整流器と
を含み、
前記有線充電経路が、
前記有線充電電力を受信して、第1の整流出力を提供するように構成された第1の整流器を含み、
前記結合充電経路が、
前記第1の整流出力および前記第2の整流出力を受信するように構成され、力率改善出力を提供するようにさらに構成されたデュアルモード力率改善(PFC)および波形整形モジュールと、
前記力率改善出力を受信して、波形整形出力を受信して、絶縁DC出力を前記バッテリーに提供するように構成された絶縁DC-DC変換器と
をさらに含む
請求項1に記載の装置。
【請求項８】
前記ワイヤレス充電経路が、
前記ワイヤレス充電電力を受信するように構成されたコイルと、
前記コイルを同調させるように構成された直列同調回路と、
前記コイルから前記ワイヤレス充電電力を受信して、第2の整流出力を提供するように構成された減結合整流器と
を含み、
前記有線充電経路が、
前記有線充電電力を受信して、第1の整流出力を提供するように構成された第1の整流器を含み、
前記結合充電経路が、
前記第1の整流出力および前記第2の整流出力を受信するように構成され、力率改善出力を提供するようにさらに構成された力率改善(PFC)モジュールと、
前記力率改善出力を受信して、波形整形出力を受信して、絶縁DC出力を前記バッテリーに提供するように構成された絶縁DC-DC変換器と
をさらに含む
請求項1に記載の装置。
【請求項９】
前記ワイヤレス充電経路が、
前記ワイヤレス充電電力を受信するように構成されたコイルと、
前記コイルを同調させるように構成された直列同調回路と
を含み、
前記結合充電経路が、
前記有線接続から前記有線充電電力を受信して、前記コイルから前記ワイヤレス充電電力を受信して、第1の整流出力を提供するように構成された整流器と、
前記第1の整流出力を受信するように構成され、力率改善出力を提供するようにさらに構成された力率改善(PFC)モジュールと、
前記力率改善出力を受信して、波形整形出力を受信して、絶縁DC出力を前記バッテリーに提供するように構成された絶縁DC-DC変換器と
をさらに含む
請求項1に記載の装置。
【請求項１０】
前記ワイヤレス充電経路が、
前記ワイヤレス充電電力を受信するように構成されたコイルと、
前記コイルを同調させるように構成された並列および部分直列同調回路と
を含み、
前記結合充電経路が、
前記有線接続から前記有線充電電力を受信して、前記コイルから前記ワイヤレス充電電力を受信して、第1の整流出力を提供するように構成された整流器と、
前記第1の整流出力を受信するように構成され、力率改善出力を提供するようにさらに構成されたデュアルモード力率改善(PFC)および波形整形モジュールと、
前記力率改善出力を受信して、波形整形出力を受信して、絶縁DC出力を前記バッテリーに提供するように構成された絶縁DC-DC変換器と
をさらに含む
請求項1に記載の装置。
【請求項１１】
前記ワイヤレス充電経路が、
前記ワイヤレス充電電力を受信するように構成されたコイルと、
前記コイルを同調させるように構成された直列同調回路と
を含み、
前記有線充電経路が、
前記有線充電電力を受信して、第1の整流出力を提供するように構成された第1の整流器と、
前記第1の整流出力を受信して、絶縁DC出力を提供するように構成された絶縁DC-DC変換器と
を含み、
前記結合充電経路が、
前記コイルから前記ワイヤレス充電電力を受信して、前記絶縁DC出力を受信して、第2の整流出力を提供するように構成された第2の整流器と、
前記第2の整流出力を受信するように構成され、電流源出力を前記バッテリーに提供するようにさらに構成された電流源力率改善(PFC)モジュールと
をさらに含む
請求項1に記載の装置。
【請求項１２】
前記ワイヤレス充電電力が変調振幅を含む、請求項1に記載の装置。
【請求項１３】
コイルを同調させるように構成された並列同調回路、前記有線充電電力をフィルタリングするように構成された電磁干渉(EMI)フィルタ、力率改善出力をフィルタリングするように構成されたバルクキャパシタンス、および第2の整流出力をフィルタリングするように構成された出力フィルタのうちの1つまたは複数をさらに含む、請求項1に記載の装置。